【手続補正書】
【提出日】平成25年12月18日(2013.12.18)
【手続補正１】
【補正対象書類名】特許請求の範囲
【補正対象項目名】全文
【補正方法】変更
【補正の内容】
【特許請求の範囲】
【請求項１】
内部に可変容積作業チャンバを有するとともに、ガス導管を有する圧力容器であって、前記ガス導管を通してガスを前記作業チャンバ内に導入し、前記作業チャンバから排出することができる、圧力容器と、
前記作業チャンバ内に配置され、前記圧縮ガスから受け取った熱エネルギーを前記作業チャンバの外部に伝導させる伝熱要素と、
を備え、
前記圧力容器は、前記作業チャンバの容積を低減し、熱エネルギーを前記圧縮ガスから前記伝熱要素に伝導させて、前記圧縮ガスの温度を低減することにより、前記ガス導管を介して前記作業チャンバに導入されたガスを圧縮する、装置。
【請求項２】
前記圧力容器は、シリンダと、前記シリンダ内で往復運動するように取り付けられたピストンとを含み、前記作業チャンバは、前記シリンダ及び前記ピストンにより境界付けられる容積により画定され、前記作業チャンバの容積は、前記シリンダ内の前記ピストンを移動させることにより少なくとも部分的に変更可能である、請求項１に記載の装置。
【請求項３】
液体導管をさらに含み、前記液体導管を通して、液体を前記作業チャンバに導入し、液体を前記作業チャンバから排出することができ、前記作業チャンバの容積は、液体を前記作業チャンバに導入し、又は液体を前記作業チャンバから排出することにより少なくとも部分的に変更可能である、請求項１に記載の装置。
【請求項４】
前記圧力容器は、前記圧縮ガスから前記伝熱要素に伝導した熱エネルギーを、前記伝熱要素から前記作業チャンバ内に含まれる液体に伝導させる、請求項３に記載の装置。
【請求項５】
前記圧力容器は、前記作業チャンバの容積を増大させ、熱エネルギーを前記伝熱要素から前記膨脹ガスに伝導させ、膨脹ガスの温度を増大することにより、前記ガス導管を介して前記作業チャンバ内に導入されたガスを膨脹させる、請求項１に記載の装置。
【請求項６】
容積を有する作業チャンバを画定する圧力容器内のガスを圧縮する方法であって、前記圧力容器はガス導管を有し、前記ガス導管を通して、ガスを前記作業チャンバに導入し、液体を前記作業チャンバから排出することができ、前記圧力容器は液体導管を有し、前記液体導管を通して、液体を前記作業チャンバに導入し、液体を前記作業チャンバから排出することができ、前記圧力容器は、前記作業チャンバ内に配置される伝熱要素を有し、前記方法は、
ある量のガスを前記作業チャンバに導入すること、
少なくとも部分的に液体を前記作業チャンバに導入することによって前記作業チャンバの容積を低減し、前記ガスの圧力を増大させ、前記ガスの温度を前記伝熱要素の温度を超える温度まで増大させ、前記圧縮により生成された熱エネルギーを前記ガスから前記伝熱要素に伝導させること、
前記液体導管を介して液体を前記作業チャンバに導入すること、及び
前記液体を、熱エネルギーが前記ガスから伝導した前記伝熱要素の部分に接触させて、前記熱エネルギーを前記伝熱要素から前記液体に伝導させること
を含む、方法。
【請求項７】
前記作業チャンバから前記液体の少なくとも部分を排出して、前記伝熱要素から前記液体に伝導した熱エネルギーの少なくとも部分を除去することをさらに含む、請求項６に記載の方法。
【請求項８】
前記ガス導管を介して前記作業チャンバから圧縮ガスを引き出すこと、及び
前記作業チャンバの容積をさらに低減して、前記液体を、追加の熱エネルギーが前記ガスから伝導した前記伝熱要素の別の部分に接触させ、追加の熱エネルギーを前記伝熱要素の前記別の部分から前記液体に伝導させること
をさらに含み、選択的に、
前記ガス導管を介して第２の量のガスを前記作業チャンバに導入すること、
前記作業チャンバの容積を増大させて、前記ガスの圧力を低減し、前記ガスの温度を前記伝熱要素の温度を下回る温度まで低減させ、熱エネルギーを前記伝熱要素から前記ガスに伝導させること
を含む、請求項６に記載の方法。
【請求項９】
前記伝熱要素が、細長い管状要素を含み、前記作業チャンバの容積を低減することが前記細長い管状部材の内部に液体を流すことを含むか、
液体により変位可能な部分を含み、前記液体を導入することが前記伝熱要素の前記部分を変位させることを含むか、
液体を吸収して保持し、ガスと液体との界面を提供して、前記ガスと前記液体との間で熱エネルギーを伝導させる複数の繊維要素を含み、前記液体を導入することが前記ガスと液体との界面を介して熱エネルギーを前記ガスから前記繊維要素に伝導させることを含むかのいずれかである、請求項６に記載の方法。
【請求項１０】
前記圧力容器は、１つ又は複数の液体導管を有し、前記液体導管を通して、液体を前記作業チャンバに導入し、液体を前記作業チャンバから排出することができ、
前記作業チャンバ内に配置され、前記作業チャンバに導入される液体により前記圧力容器に対して移動可能である伝熱要素を備え、
前記作業チャンバは容積を有し、液体が前記作業チャンバ内に含まれている場合、前記容積の第１の部分は液体で占められ、第２の部分はガスによる占有に利用することができ、
前記圧力容器は、前記１つ又は複数の液体導管を通して、液体を前記作業チャンバに導入し、又は液体を前記作業チャンバから引き出すことにより、前記第１の部分の容積を変更するものであり、
前記圧力容器は、前記作業チャンバの前記第２の部分の容積を低減して、内部に含まれたガスを圧縮し、熱エネルギーを前記圧縮ガスから前記伝熱要素に伝導させ、前記作業チャンバの前記第１の部分内の液体を前記伝熱要素に接触させ、前記液体に、前記圧縮ガスから伝導した熱エネルギーを前記伝熱要素に伝導させる、請求項１に記載の装置。
【請求項１１】
前記圧力容器は、シリンダと、前記シリンダ内で往復運動するように取り付けられたピストンとを含み、前記作業チャンバは、前記シリンダ及び前記ピストンにより画定され、
前記圧力容器は、少なくとも部分的に、前記シリンダ内でピストンを移動させることにより、前記作業チャンバの前記第２の部分の容積を低減するか、
少なくとも部分的に、前記１つ又は複数の液体導管を通して液体を前記作業チャンに導入することにより、前記作業チャンバの前記第２の部分の容積を低減する、請求項１０に記載の装置。
【請求項１２】
前記伝熱要素は、複数の細長部材、互いに同心に配置される複数の管状部材、複数の積み重なったプレート、複数の碁盤目状のプレート、複数のリング、複数のコイル、複数のメッシュスクリーン、又は複数の多孔性プレートのいずれかを含み、
前記細長部材は、前記作業チャンバ内に含まれる液体の表面に略垂直な方向に延びる前記部材の長軸に向けられ、
前記積み重なったプレートの各プレートは、前記積み重なったプレートを、第１の軸方向広がりを有する第１の構成と、前記第１の軸方向広がりよりも小さな第２の軸方向広がりを有する第２の構成との間で移動可能であるように、互いに対して移動可能である、請求項１０に記載の装置。
【請求項１３】
前記圧力容器は、液体を前記作業チャンバに導入し、又は液体を前記作業チャンバから引き出すことにより、ガスを圧縮又は膨脹させることができ、
複数の繊維要素が前記圧力容器内に配置され、前記複数の繊維要素のそれぞれは、液体を吸収して保持し、ガスと液体との界面を提供して、前記ガスと前記液体との間で熱エネルギーを伝導させる、請求項１に記載の装置。
【請求項１４】
前記複数の繊維要素は、前記液体を前記圧力容器から引き出した後、液滴を保持し、前記液滴は、前記圧力容器の前記作業チャンバ内への続く液体の導入により前記ガスが圧縮される際、前記ガスから前記液滴に熱エネルギーを伝導させるガスと液体との界面を提供する、請求項１３に記載の装置。
【請求項１５】
前記複数の繊維要素は、三次元網構造に構成されるか、
前記作業チャンバに導入される液体により移動可能であるか、
少なくとも一部分は、親水性材料を成分とするコーティングを含むかのいずれかである、請求項１３に記載の装置。